(57)【要約】【課題】リアルタイム通信用Ｊａｖａアプリの待ち時間に、当該リアルタイム通信の参加メンバーにとって共通した有益情報を提供する。【解決手段】携帯端末１０で、当該携帯端末に登録されている各種情報を解析して抽出した興味要素を含むユーザ情報を、通信網３０を介して携帯端末１０間でリアルタイム通信を行うためのＪａｖａアプリの起動に応じて配信サーバ２０へ通知し、配信サーバ２０で、当該リアルタイム通信を行う各携帯端末１０から通知されたユーザ情報に基づいて、各携帯端末１０のユーザ間で共通する興味要素を共通情報として抽出し、この共通情報と対応する有益情報をユーザ情報データベースから検索してこれら携帯端末１０へ配信し、携帯端末１０で、配信サーバ２０から配信された有益情報を、当該Ｊａｖａアプリの処理待ち時に画面表示する。【選択図】  図１
2010250362.tif 000002
【特許請求の範囲】
【請求項１】
通信網に接続された配信サーバと複数の携帯端末とを含み、
前記携帯端末は、
当該携帯端末に登録されている各種情報を解析して、当該ユーザの興味に関する興味要素を抽出する興味要素解析部と、
前記通信網を介して前記携帯端末間でリアルタイム通信を行うためのＪａｖａアプリケーションの起動に応じて、前記興味要素を含むユーザ情報を前記通信網を介して前記配信サーバへ通知し、これに応じて前記配信サーバから配信された前記有益情報を、当該Ｊａｖａアプリケーションの処理待ち時に画面表示する通信制御部と
を備え、
前記配信サーバは、
前記携帯端末に対して配信する各種有益情報を記憶する有益情報データベースと、
前記リアルタイム通信を行う各携帯端末から前記通信網を介して通知されたユーザ情報に基づいて、これら携帯端末のユーザ間で共通する興味要素を共通情報として抽出する共通情報抽出部と、
前記共通情報と対応する有益情報を前記ユーザ情報データベースから検索する有益情報検索部と、
前記有益情報を前記各携帯端末へ配信する有益情報配信部と
を備える
ことを特徴とする有益情報配信システム。
【請求項２】
請求項１に記載の有益情報配信システムにおいて、
前記携帯端末は、当該携帯端末に登録されている各種情報を解析して、当該ユーザのスケジュールに関する時間要素を抽出する時間要素解析部をさらに備え、
前記通信制御部は、前記興味要素と前記時間要素を含むユーザ情報を前記通信網を介して前記配信サーバへ通知し、
前記共通情報抽出部は、前記各携帯端末からのユーザ情報に基づいて、これら携帯端末のユーザ間で共通する興味要素と時間情報を共通情報として抽出する
ことを特徴とする有益情報配信システム。
【請求項３】
請求項１に記載の有益情報配信システムにおいて、
前記興味要素解析部と前記通信制御部のいずれか一方または両方が、前記Ｊａｖａアプリケーションで実現される処理部で構成されていることを特徴とする有益情報配信システム。
【請求項４】
請求項１に記載の有益情報配信システムにおいて、
前記通信制御部は、リアルタイム通信により前記各携帯端末との間でやり取りした文字情報を履歴情報として記憶部に保存し、
前記興味要素解析部は、前記履歴情報から使用頻度が高い単語を前記興味要素として抽出する
ことを特徴とする有益情報配信システム。
【請求項５】
請求項１に記載の有益情報配信システムにおいて、
前記配信サーバは、関連性を持つ興味要素とキーワードとの組が複数登録された辞書データベースをさらに備え、
前記共通情報抽出部は、前記各携帯端末からのユーザ情報に含まれる興味要素ごとに前記辞書データベースを検索して、当該興味要素と関連性を持つキーワード群をそれぞれ取得し、これらキーワード群を比較することにより、ユーザ間で共通するキーワードを前記共通情報として抽出する
ことを特徴とする有益情報配信システム。
【請求項６】
通信網に接続された配信サーバと複数の携帯端末とを含み、当該配信サーバから前記各携帯端末に対して有益情報を配信する有益情報配信システムで用いられる有益情報配信方法であって、
前記携帯端末の興味要素解析部が、当該携帯端末に登録されている各種情報を解析して、当該ユーザの興味に関する興味要素を抽出する興味要素解析ステップと、
前記携帯端末の通信制御部が、前記通信網を介して前記携帯端末間でリアルタイム通信を行うためのＪａｖａアプリケーションの起動に応じて、前記興味要素を含むユーザ情報を前記通信網を介して前記配信サーバへ通知するユーザ情報通知ステップと、
前記配信サーバの共通情報抽出部が、前記リアルタイム通信を行う各携帯端末から前記通信網を介して通知されたユーザ情報に基づいて、これら携帯端末のユーザ間で共通する興味要素を共通情報として抽出する共通情報抽出ステップと、
前記配信サーバの有益情報検索部が、前記携帯端末に対して配信する各種有益情報を記憶する有益情報データベースから、前記共通情報と対応する有益情報を検索する有益情報検索ステップと、
前記配信サーバの有益情報配信部が、前記有益情報を前記各携帯端末へ配信する有益情報配信ステップと、
前記携帯端末の通信制御部が、前記配信サーバから配信された前記有益情報を、当該Ｊａｖａアプリケーションの処理待ち時に画面表示する通信制御ステップと
を備えることを特徴とする有益情報配信方法。
【発明の詳細な説明】
【技術分野】
【０００１】
本発明は、情報提供技術に関し、特にリアルタイム通信を利用中のユーザに対して有益情報を提供する技術に関する。
【背景技術】
【０００２】
近年、携帯電話で、Ｊａｖａ（登録商標）アプリケーション（以下、Ｊａｖａアプリという）と呼ばれる小サイズのプログラムを実行することにより、電話機能以外の様々な機能をユーザが利用可能となっている。このようなＪａｖａアプリのうち、複数の携帯端末間でのリアルタイム通信を提供するものがある。これにより、例えば、メンバーを呼び出して、メンバー同士でリアルタイムで通信を行うことにより、対戦型や協調型のゲームを行ったり、チャットなどでメッセージをやり取りすることが可能となる。
従来、このようなリアルタイム通信用Ｊａｖａアプリでは、実行開始時や通信の待ち合わせ時に、予めＪａｖａアプリに格納されている広告情報を、携帯電話の画面に表示するものがある。
【先行技術文献】
【特許文献】
【０００３】
【特許文献１】特開２００２−２５９８００号公報
【発明の概要】
【発明が解決しようとする課題】
【０００４】
しかしながら、このような従来技術では、実行開始時や通信の待ち合わせ時に、リアルタイム通信用Ｊａｖａアプリから提供される広告情報は、リアルタイム通信用Ｊａｖａアプリを作成する際に予め登録された固定的な広告情報であることから、リアルタイム通信を行っているメンバーが共通して興味を示す、タイムリーな有益情報を提供することはできないという問題点があった。
【０００５】
携帯電話を用いて商品やサービスに関する広告情報を提供する技術が提案されているが（例えば、特許文献１など参照）、この種のサービスは、ユーザがスケジュール登録・確認などのため、携帯電話から特定のサーバに接続した際に、当該ユーザ個人に対応した情報を提供するものである。したがって、携帯電話を操作しているユーザの待ち時間に情報を提供することはできないし、リアルタイム通信を行っているメンバーが共通して興味を示す、タイムリーな有益情報を提供することもできない。
【０００６】
本発明はこのような課題を解決するためのものであり、リアルタイム通信用Ｊａｖａアプリの待ち時間に、当該リアルタイム通信の参加メンバーにとって共通した有益情報を提供することができる有益情報配信技術を提供することを目的としている。
【課題を解決するための手段】
【０００７】
このような目的を達成するために、本発明にかかる有益情報配信システムは、通信網に接続された配信サーバと複数の携帯端末とを含み、携帯端末は、当該携帯端末に登録されている各種情報を解析して、当該ユーザの興味に関する興味要素を抽出する興味要素解析部と、通信網を介して携帯端末間でリアルタイム通信を行うためのＪａｖａアプリケーションの起動に応じて、興味要素を含むユーザ情報を通信網を介して配信サーバへ通知し、これに応じて配信サーバから配信された有益情報を、当該Ｊａｖａアプリケーションの処理待ち時に画面表示する通信制御部とを備え、配信サーバは、携帯端末に対して配信する各種有益情報を記憶する有益情報データベースと、リアルタイム通信を行う各携帯端末から通信網を介して通知されたユーザ情報に基づいて、これら携帯端末のユーザ間で共通する興味要素を共通情報として抽出する共通情報抽出部と、共通情報と対応する有益情報をユーザ情報データベースから検索する有益情報検索部と、有益情報を各携帯端末へ配信する有益情報配信部とを備えている。
【０００８】
また、本発明にかかる有益情報配信方法は、通信網に接続された配信サーバと複数の携帯端末とを含み、当該配信サーバから各携帯端末に対して有益情報を配信する有益情報配信システムで用いられる有益情報配信方法であって、携帯端末の興味要素解析部が、当該携帯端末に登録されている各種情報を解析して、当該ユーザの興味に関する興味要素を抽出する興味要素解析ステップと、携帯端末の通信制御部が、通信網を介して携帯端末間でリアルタイム通信を行うためのＪａｖａアプリケーションの起動に応じて、興味要素を含むユーザ情報を通信網を介して配信サーバへ通知するユーザ情報通知ステップと、配信サーバの共通情報抽出部が、リアルタイム通信を行う各携帯端末から通信網を介して通知されたユーザ情報に基づいて、これら携帯端末のユーザ間で共通する興味要素を共通情報として抽出する共通情報抽出ステップと、配信サーバの有益情報検索部が、携帯端末に対して配信する各種有益情報を記憶する有益情報データベースから、共通情報と対応する有益情報を検索する有益情報検索ステップと、配信サーバの有益情報配信部が、有益情報を各携帯端末へ配信する有益情報配信ステップと、携帯端末の通信制御部が、配信サーバから配信された有益情報を、当該Ｊａｖａアプリケーションの処理待ち時に画面表示する通信制御ステップとを備えている。
【発明の効果】
【０００９】
本発明によれば、リアルタイム通信用Ｊａｖａアプリの待ち時間に、当該リアルタイム通信の参加メンバーにとって共通した有益情報を提供することができる。
【図面の簡単な説明】
【００１０】
【図１】本実施形態にかかる有益情報配信システムの構成を示すブロック図である。
【図２Ａ】携帯端末に登録されているブックマーク情報を示す説明図である。
【図２Ｂ】携帯端末に登録されているマルチメディアデータを示す説明図である。
【図２Ｃ】携帯端末に保存されている電子クーポンを示す説明図である。
【図３】携帯端末に登録されているスケジュール情報を示す説明図である。
【図４】携帯端末から配信サーバへ通知されるユーザ情報を示す説明図である。
【図５】本実施形態にかかる有益情報配信システムの動作を示すシーケンス図である。
【図６】配信サーバでの共通情報の抽出動作を示す説明図である。
【図７】携帯端末での有益情報表示例である。
【発明を実施するための形態】
【００１１】
次に、本発明の一実施形態について図面を参照して説明する。
［本実施形態の構成］
まず、図１を参照して、本実施形態にかかる有益情報配信システムについて説明する。図１は、本実施形態にかかる有益情報配信システムの構成を示すブロック図である。
【００１２】
この有益情報配信システムは、通信網３０を介して接続された配信サーバ２０と複数の携帯端末１０とから構成されている。
携帯端末１０は、携帯電話やＰＤＡなどの情報通信端末からなり、無線回線を介して通信網３０へ接続し、リアルタイム通信用Ｊａｖａアプリを実行した際にユーザ情報を配信サーバ２０へ通知し、これに応じた配信サーバ２０から配信された有益情報を画面表示する機能を有している。
配信サーバ２０は、全体として配信サーバ装置などの情報処理装置からなり、各携帯端末１０から収集したユーザ情報に基づき検索した有益情報をこれら携帯端末１０へ配信する機能を有している。
【００１３】
本実施形態は、携帯端末１０において、当該携帯端末に登録されている各種情報を解析して抽出した、当該ユーザの興味に関する興味要素を含むユーザ情報を、通信網３０を介して携帯端末１０間でリアルタイム通信を行うためのＪａｖａアプリの起動に応じて配信サーバ２０へ通知し、配信サーバ２０において、リアルタイム通信を行う各携帯端末１０から通知されたユーザ情報に基づいて、各携帯端末１０のユーザ間で共通する興味要素を共通情報として抽出し、この共通情報と対応する有益情報をユーザ情報データベースから検索してこれら携帯端末１０へ配信し、携帯端末１０において、配信サーバ２０から配信された有益情報を、当該Ｊａｖａアプリの処理待ち時に画面表示するようにしたものである。
【００１４】
［携帯端末］
本実施形態にかかる有益情報配信システムで用いられる携帯端末１０には、主な機能部として、無線インターフェース部（以下、無線Ｉ／Ｆ部という）１１、アプリ制御部１２、操作入力部１３、画面表示部１４、記憶部１５、興味要素解析部１６、時間要素解析部１７、および通信制御部１８が設けられている。
【００１５】
無線Ｉ／Ｆ部１１は、専用の無線通信回路からなり、無線回線を介して通信網３０へ接続してデータ通信を行う機能を有している。
端末制御部１２は、ユーザ操作に応じて、電話機能、電話帳機能、ブラウザ機能、マルチメディアデータ再生機能、メール機能などの基本機能を制御する機能と、リアルタイム通信用などの任意のＪａｖａアプリの実行制御を行う機能とを有している。
操作入力部１３は、ダイヤルキー、カーソルキー、機能キーなどの各種操作キーによりユーザ操作を検出する機能を有している。
【００１６】
画面表示部１４は、ＬＣＤなどの画面表示装置からなり、操作メニュー、Ｊａｖａアプリの出力情報、配信サーバ２０からの有益情報などの各種情報を画面表示する機能を有している。
記憶部１５は、半導体メモリなどの記憶装置からなり、各機能部での動作に用いる処理情報やプログラム、さらにはＪａｖａアプリのプログラムを記憶する機能を有している。記憶部１５で記憶される主な処理情報としては、携帯端末１０の電話機能、メール機能、電話帳機能などの基本機能で用いる各種処理情報のほか、携帯端末１０から任意のサイトへアクセスするためのブックマーク情報、携帯端末１０に登録されたマルチメディアデータ、任意のサイトからメールで受信した電子クーポンなどの各種処理情報がある。
【００１７】
興味要素解析部１６は、記憶部１５の各種処理情報を解析して、当該ユーザの興味に関する興味要素を抽出する機能を有している。
時間要素解析部１７は、記憶部１５の各種処理情報を解析して、当該ユーザのスケジュールに関する時間要素を抽出する機能を有している。
通信制御部１８は、通信網３０を介して携帯端末１０間でリアルタイム通信を行うためのＪａｖａアプリが起動された際、興味要素と時間要素を含むユーザ情報を配信サーバ２０へ送信する機能と、これに応じて配信サーバ２０から配信された有益情報を、当該Ｊａｖａアプリの処理待ち時に画面表示する機能とを有している。
【００１８】
図２Ａは、携帯端末に登録されているブックマーク情報を示す説明図である。図２Ｂは、携帯端末に登録されているマルチメディアデータ（音楽データ）を示す説明図である。図２Ｃは、携帯端末に保存されている電子クーポンを示す説明図である。図３は、携帯端末に登録されているスケジュール情報を示す説明図である。
【００１９】
図２Ａのブックマーク情報は、携帯端末１０のブラウザ機能を利用して、ユーザが携帯端末１０からインターネットで特定のサイトへ普段アクセスする際に利用する接続先情報である。図２Ｂのマルチメディアデータは、携帯端末１０のマルチメディアデータ再生機能を利用して、ユーザが携帯端末１０で普段再生しているマルチメディアデータデータである。ここでは、音楽データが示されているが映像データであってもよい。図２Ｃの電子クーポンは、携帯端末１０の電子メール機能を利用して、ユーザがインターネットの店舗サイトから収集したクーポン券のことである。図３のスケジュール情報は、携帯端末１０のスケジュール管理機能を利用して、ユーザが携帯端末１０に登録したスケジュールであり、ここでは、下線が付された日は、スケジュールが登録されていない日を示している。
【００２０】
興味要素解析部１６は、記憶部１５に登録されている、図２Ａ〜図２Ｃに示すような各種処理情報を解析して、当該ユーザの興味に関する興味要素を抽出する。また時間要素解析部１７は、記憶部１５に登録されている図３に示すような各種処理情報を解析して、当該ユーザのスケジュールに関する時間要素を抽出する。
図４は、携帯端末から配信サーバへ通知されるユーザ情報を示す説明図である。ここでは、図２Ａ〜図２Ｃに示す各種処理情報から当該ユーザの興味要素として「サザンオールスターズ」という情報が抽出されており、また図３に示す各種処理情報から当該ユーザの時間要素として「1/11,17,24,25予定なし」という情報が抽出されている。これら興味要素と時間要素を含むユーザ情報が携帯端末１０から配信サーバ２０へ通知される。
【００２１】
携帯端末１０の機能部のうち、端末制御部１２、興味要素解析部１６、時間要素解析部１７、および通信制御部１８については、専用の情報処理回路で実現してもよいが、ＣＰＵなどのマイクロプロセッサとその周辺回路を有し、記憶部１５に格納されているプログラムを実行して各種処理部を実現する演算処理部で実現してもよい。
【００２２】
［配信サーバ］
本実施形態にかかる有益情報配信システムで用いられる配信サーバ２０には、主な機能部として、通信インターフェース部（以下、通信Ｉ／Ｆ部という）２１、有益情報データベース部（以下、有益情報ＤＢという）２２、共通情報抽出部２３、有益情報検索部２４、有益情報配信部２５、および記憶部２６とが設けられている。
【００２３】
通信Ｉ／Ｆ部２１は、専用の通信回路からなり、通信回線を介して通信網３０へ接続してデータ通信を行う機能を有している。
有益情報ＤＢ２２は、ハードディスクや半導体メモリなどの記憶装置からなり、配信サーバ２０から携帯端末１０に対して配信する有益情報が、ユーザの興味要素や時間要素と関連付けて登録されているデータベースである。
【００２４】
共通情報抽出部２３は、リアルタイム通信を行う各携帯端末１０から通知されたユーザ情報に含まれている興味要素と時間要素とに基づいて、各携帯端末のユーザ間で共通する興味要素と時間要素を共通情報として抽出する機能を有している。
有益情報検索部２４は、共通情報抽出部２３で抽出した共通情報と対応する有益情報を、有益情報ＤＢから検索する機能を有している。
【００２５】
有益情報配信部２５は、有益情報検索部２４で検索された有益情報を、当該リアルタイム通信を行う各携帯端末１０に対して、通信Ｉ／Ｆ部２１から配信する機能を有している。
記憶部２６は、ハードディスクや半導体メモリなどの記憶装置からなり、各機能部での動作に用いる各種処理情報やプログラムを記憶する機能を有している。
【００２６】
配信サーバ２０の機能部のうち、共通情報抽出部２３、有益情報検索部２４、および有益情報配信部２５については、専用の情報処理回路で実現してもよいが、ＣＰＵなどのマイクロプロセッサとその周辺回路を有し、記憶部２６に格納されているプログラムを実行して各種処理部を実現する演算処理部で実現してもよい。
【００２７】
［本実施形態の動作］
次に、図５を参照して、本実施形態にかかる有益情報配信システムの動作について説明する。図５は、本実施形態にかかる有益情報配信システムの動作を示すシーケンス図である。
【００２８】
携帯端末１０において、ユーザ操作に応じて端末制御部１２でリアルタイム通信用アプリが起動された場合、通信制御部１８は、端末制御部１２からの通知に応じて、リアルタイム通信用アプリの起動を確認し（ステップ１００）、興味要素解析部１６および時間要素解析部１７に対して、解析要求を指示する（ステップ１０１）。
【００２９】
この解析要求に応じて、興味要素解析部１６は、記憶部１５内の各種処理情報を解析して興味要素を抽出し（ステップ１０２）、時間要素解析部１７は、記憶部１５内の各種処理情報を解析して時間要素を抽出し（ステップ１０３）、それぞれ抽出した興味要素および時間要素を解析応答により通信制御部１８へ通知する（ステップ１０４）。
通信制御部１８は、この解析応答で通知された興味要素および時間要素を、当該リアルタイム通信を識別するための識別情報や、当該リアルタイム通信に参加しているメンバーに関するメンバー情報などのリアルタイム通信関連情報とともに、ユーザ情報として、無線Ｉ／Ｆ部１１から通信網３０を介して配信サーバ２０へ通知する（ステップ１０５）。
【００３０】
配信サーバ２０において、通信Ｉ／Ｆ部２１により、当該リアルタイム通信に参加するメンバーの携帯端末１０から、それぞれのユーザ情報を受信した場合、共通情報抽出部２３は、これらユーザ情報から当該メンバーに共通する興味要素および時間要素を共通情報として抽出し（ステップ１１０）、この共通情報に対応する有益情報の検索要求を有益情報検索部２４へ通知する（ステップ１１１）。
【００３１】
有益情報検索部２４は、この検索要求に応じて、有益情報ＤＢ２２から当該共通情報の興味要素および時間要素と対応する有益情報を検索し（ステップ１１２）、得られた有益情報に関する配信要求を有益情報配信部２５へ通知する（ステップ１１３）。
有益情報配信部２５は、この配信要求に応じて、当該リアルタイム通信に参加している各メンバーの携帯端末１０に対し、通信Ｉ／Ｆ部２１から通信網３０を介して当該有益情報を配信する（ステップ１１４）。
【００３２】
携帯端末１０において、無線Ｉ／Ｆ部１１により、配信サーバ２０から有益情報を受信した場合、通信制御部１８は、受信した有益情報を記憶部１５へ保存し（ステップ１２０）、端末制御部１２から通知された当該Ｊａｖａアプリの処理待ち時に、当該有益情報を画面表示部１４で画面表示する（ステップ１２１）。
【００３３】
図６は、配信サーバでの共通情報の抽出動作を示す説明図である。ここでは、リアルタイム通信に参加している３つの携帯端末１０から、それぞれのユーザ情報４１〜４３が通知されている。
配信サーバ２０の共通情報抽出部２３では、これらユーザ情報４１〜４３の興味要素と時間要素とについてそれぞれ比較し、共通の要素を抽出する。ここでは、ユーザ情報４１〜４３の興味要素に「サザンオールスターズ」という要素が共通して含まれており、ユーザ情報４１〜４３の時間要素に「1/24予定なし」という要素が共通して含まれている。このため、共通情報抽出部２３では、これら要素が共通情報４４として抽出されている。
【００３４】
有益情報検索部２４は、興味要素「サザンオールスターズ」と時間要素「1/24予定なし」とを含む共通情報４４に基づいて、有益情報ＤＢ２２を検索し、予定なしの日に開催されているイベント情報として、「1/24開催：サザンオールスターズ武道館Live情報」という有益情報４５を検索している。
【００３５】
図７は、携帯端末での有益情報表示例である。ここでは、リアルタイム通信用Ｊａｖａアプリの起動中に、一般的なお待たせ画面５０が画面表示部１４で画面表示されている。このように、お待たせ画面５０が画面表示されている処理待ち状態で、配信サーバ２０から前述した有益情報４５を受信した場合、その内容を示す有益情報画面５１へ画面表示部１４の画面表示が切り替えられる。
【００３６】
［本実施形態の効果］
このように、本実施形態では、携帯端末１０において、当該携帯端末に登録されている各種情報を解析して抽出した、当該ユーザの興味に関する興味要素を含むユーザ情報を、通信網３０を介して携帯端末１０間でリアルタイム通信を行うためのＪａｖａアプリの起動に応じて配信サーバ２０へ通知し、配信サーバ２０において、リアルタイム通信を行う各携帯端末１０から通知されたユーザ情報に基づいて、各携帯端末１０のユーザ間で共通する興味要素を共通情報として抽出し、この共通情報と対応する有益情報をユーザ情報データベースから検索してこれら携帯端末１０へ配信し、携帯端末１０において、配信サーバ２０から配信された有益情報を、当該Ｊａｖａアプリの処理待ち時に画面表示するようにしたので、リアルタイム通信用Ｊａｖａアプリの待ち時間に、当該リアルタイム通信の参加メンバーにとって共通した有益情報を提供することができる。
【００３７】
また、本実施形態では、携帯端末１０で、上記興味要素と同様に、当該携帯端末１０に登録されている各種情報を解析して、当該ユーザのスケジュールに関する時間要素を抽出し、これら興味要素と時間要素を含むユーザ情報を通信網を介して配信サーバ２０へ通知し、配信サーバ２０で、各携帯端末１０からのユーザ情報に基づいて、これら携帯端末のユーザ間で共通する興味要素と時間情報を共通情報として抽出するようにしたので、コンサートなどの時間性を有するタイムリーなイベント情報についても、当該リアルタイム通信の参加メンバーにとって共通した有益情報として提供することができる。
【００３８】
［実施形態の拡張］
前述した実施形態では、携帯端末１０の興味要素解析部１６、時間要素解析部１７、および通信制御部１８を、当該携帯端末１０に基本機能として設けられている場合を例として説明したが、これら機能部をリアルタイム通信用アプリで実現される処理部で構成してもよい。
これにより、リアルタイム通信用アプリを管理サイトからダウンロードして携帯端末１０へ登録するだけで、興味要素解析部１６、時間要素解析部１７、および通信制御部１８を当初から持たない既存の携帯端末１０であっても、本発明にかかる有益情報配信システムを容易に利用することが可能となり、高い汎用性が得られる。
【００３９】
また、前述した実施形態では、リアルタイム通信用アプリの起動に応じて、記憶部１５内の各種処理情報を解析してユーザ情報を生成する場合を例として説明したが、ユーザ情報の生成タイミングについては、これに限定されるものではない。
例えば、解析対象となる処理情報が更新されたタイミングで、興味要素解析部１６や時間要素解析部１７により、ユーザ情報を生成して記憶部１５へ保存しておいてもよい。これにより、リアルタイム通信用アプリの起動に応じて、記憶部１５内のユーザ情報を直ちに配信サーバ２０へ通知することができ、リアルタイム通信用アプリの起動における早い段階で、有益情報を画面表示することが可能となる。
【００４０】
また、前述した実施形態では、ブックマーク情報、マルチメディアデータ、電子クーポンなどの処理情報からユーザに固有の興味要素を抽出する場合を例として説明したが、興味要素の抽出対象となる処理情報は、これらに限定されるものではなく、他の処理情報から興味要素を抽出してもよい。
例えば、興味要素解析部１６により、電子メールの作成等で使用される文字入力の履歴情報、電話帳の登録情報、ワンセグ視聴履歴などの各種処理情報から、使用頻度が高い単語をユーザの興味要素として抽出してもよい。また、時間要素も同様であり、時間要素の抽出対象となる処理情報がスケジュール情報に限定されるものではない。なお、文字入力の履歴情報など、多様なカテゴリに属する単語が含まれている文字情報から、興味要素を抽出する方法については、予め用意しておいた要素辞書に登録されている単語を興味要素として抽出するなど、公知の技術を利用すればよい。
【００４１】
また、前述した実施形態では、携帯端末１０の各機能部で使用する各種処理情報から、興味要素や時間要素を抽出する場合を例として説明したが、これら要素の抽出対象として、当該リアルタイム通信によりメンバー間で過去にやり取りした情報の履歴を用いてもよい。
例えば、通信制御部１８により、同様の興味や趣味を持つメンバーで行うリアルタイム通信の識別情報ごとに、当該リアルタイム通信でやり取りした文字情報を履歴情報として記憶部１５に記憶しておく。この際、チャットや電子会議の場合、これらチャットや電子会議の名称やＩＤを識別情報として用いればよい。その後、新たにリアルタイム通信が起動された場合、興味要素解析部１６で、当該リアルタイム通信の識別情報と対応する履歴情報から、使用頻度が高い単語をユーザの興味要素として抽出すればよい。これにより、メンバー間で高い共通性を持つ興味要素を容易に抽出できる。
【００４２】
また、前述した実施形態では、携帯端末１０の各種処理情報に含まれる単語を興味要素として抽出する場合を例として説明したが、抽出した単語と相関関係などの関連性を持つキーワードを興味要素として抽出するようにしてもよい。
例えば、記憶部１５に、関連性を持つ単語とキーワードの組を辞書データベースとして予め登録しておき、興味要素解析部１６で、処理情報から抽出した単語と対応するキーワードを辞書データベースから検索し、このキーワードからなる興味要素をユーザ情報として配信サーバ２０へ通知すればよい。
【００４３】
また、上記キーワードについては、携帯端末１０ではなく配信サーバ２０で検索するようにしてもよい。
例えば、配信サーバ２０の記憶部に、前述した辞書データベースを予め登録しておき、共通情報抽出部２３により、当該リアルタイム通信のメンバーとなる各携帯端末１０から通信されたユーザデータの興味要素ごとに辞書データベースを検索して、当該興味要素と関連性を持つキーワード群をそれぞれ取得し、これらキーワード群を比較することにより、各メンバーで共通するキーワードを共通情報として抽出するようにしてもよい。
【００４４】
これにより、携帯端末１０の構成規模や処理負担を増大させることなく、携帯端末１０で抽出された興味要素に内在している内在要素を、広範囲に渉る知識情報に基づいて、キーワードという形で効率よく具現化することができる。したがって、各携帯端末１０へ配信する有益情報として、多様な候補を有益情報ＤＢ２２から容易に検索することができ、利用価値の高い有益情報配信サービスを提供することが可能となる。
【００４５】
以上、実施形態を参照して本発明を説明したが、本発明は上記実施形態に限定されるものではない。本発明の構成や詳細には、本発明のスコープ内で当業者が理解しうる様々な変更をすることができる。
【符号の説明】
【００４６】
１…有益情報配信システム、１０…携帯端末、１１…無線Ｉ／Ｆ部、１２…端末制御部、１３…操作入力部、１４…画面表示部、１５…記憶部、１６…興味要素解析部、１７…時間要素解析部、１８…通信制御部、２０…配信サーバ、２１…通信Ｉ／Ｆ部、２２…有益情報ＤＢ、２３…共通情報抽出部、２４…有益情報検索部、２５…有益情報配信部、３０…通信網。
【図１】
2010250362.tif 000003
【図２Ａ】
2010250362.tif 000004
【図２Ｂ】
2010250362.tif 000005
【図２Ｃ】
2010250362.tif 000006
【図３】
2010250362.tif 000007
【図４】
2010250362.tif 000008
【図５】
2010250362.tif 000009
【図６】
2010250362.tif 000010
【図７】
2010250362.tif 000011